(57)【特許請求の範囲】
【請求項１】
インターホン子機と、前記インターホン子機と無線によって接続される無線呼出ボタンと、前記インターホン子機からの呼び出しに応答するためのインターホン親機と、前記１乃至複数のインターホン子機と前記１乃至複数のインターホン親機を収容して、前記インターホン子機または前記無線呼出ボタンからの呼出要求を検知して、前記呼び出しを行ったインターホン子機または無線呼出ボタンに対応づけられた前記インターホン親機のいずれかまたは全てを呼び出す主装置から成るインターホンシステムであって、
前記インターホン子機は、
自インターホン子機近傍の前記無線呼出ボタンに対して当該無線呼出ボタンの端末ＩＤの読み出しを要求する端末ＩＤ読出要求信号を定期または不定期に送信し、当該無線呼出ボタンが前記端末ＩＤ読出要求信号に対して返信した端末ＩＤを受信する無線呼出ボタン接続監視手段と、予め自インターホン子機に所属する前記無線呼出ボタンの端末ＩＤを記憶する所属端末ＩＤ記憶手段と、前記無線呼出ボタン接続監視手段が受信した無線呼出ボタンの端末ＩＤが、前記所属端末ＩＤ記憶手段に記憶した端末ＩＤのいずれとも一致しなかった場合に、前記主装置に対して当該受信した端末ＩＤを含む所属外端末発見情報を送信する端末発見通知手段と、自インターホン子機の呼出ボタン押下または前記無線呼出ボタンからの緊急通報信号を検知し、前記主装置に対して親機呼出要求信号を送信する親機呼出要求手段と、前記無線呼出ボタン接続監視手段が所定の期間継続して前記所属端末ＩＤ記憶手段に記憶した端末ＩＤと一致する端末ＩＤを受信しなかった場合に、前記主装置の所属端末管理手段に対して当該受信しなかった端末ＩＤからなる端末忘失情報を送信する所属端末忘失通知手段と、前記主装置から前記端末ＩＤからなる忘失端末捜索要求信号または忘失端末捜索解除信号を受信する忘失端末ＩＤ受信手段と、を有し、
前記無線呼出ボタンは、
前記インターホン子機からの端末ＩＤ読出要求信号を受信して、自無線呼出ボタンに固有の端末ＩＤ情報を返信する端末ＩＤ返信手段と、自無線呼出ボタンの通報ボタン押下を検知して、無線通信によって近傍のインターホン子機に対して、自無線呼出ボタン固有の端末ＩＤを含むインターホン親機へ緊急通報を要求する緊急通報手段と、を有し、
前記主装置は、
前記インターホン子機からの親機呼出要求信号を受信する親機呼出検出手段と、前記インターホン子機の区分や所在に関する情報と前記インターホン子機の各々に所属する無線呼出ボタンの端末ＩＤと呼び出し先のインターホン親機とを対応付けて記憶して、無線呼出ボタンの端末ＩＤとインターホン子機の接続状態を管理する所属端末管理手段と、
前記親機呼出検出手段がいずれかのインターホン子機から親機呼出要求信号を受信した場合に、前記所属端末管理手段を参照して所定のインターホン親機を呼び出す親機呼出実行手段と、
前記インターホン子機から前記端末忘失情報を受信した場合に、所属端末管理手段を参照して自主装置に所属する所定のインターホン子機に対して、前記受信した端末ＩＤからなる忘失端末捜索要求信号を配信する忘失端末捜索指示手段と、前記インターホン子機から捜索端末発見通知情報を受信した場合に、所定のインターホン子機に対して前記配信した端末ＩＤからなる忘失端末捜索解除信号を配信する忘失端末捜索解除手段と、を有し、
前記インターホン子機は、
自インターホン子機が備える無線呼出ボタン接続監視手段が、前記忘失端末ＩＤ受信手段によって受信した捜索中の端末ＩＤを検知した場合に、前記端末発見通知手段が主装置に対して当該受信した端末ＩＤからなる捜索端末発見通知情報を送信し、
前記主装置は、前記捜索端末発見通知情報を受信した所属端末管理手段、または忘失端末捜索中の端末ＩＤからの親機呼出要求信号を受信した親機呼出検出手段は、当該端末ＩＤを以て前記忘失端末捜索解除手段を起動すると共に、
当該発見した端末ＩＤに対応するインターホン親機または当該発見した端末ＩＤに係わらず全てのインターホン親機に対して前記親機呼出実行手段を起動して、前記主装置またはおよびインターホン親機に対して、当該捜索端末発見通知情報を送信したインターホン子機の所在や当該発見した端末ＩＤなどの端末情報を表示させることを特徴とする未接続無線呼出ボタンの捜索および呼出機能を有するインターホンシステム。 
【請求項２】
請求項１に記載のインターホンシステムであって、
前記主装置は、前記インターホン親機の機能を統合して構成される未接続無線呼出ボタンの捜索および呼出機能を有するインターホンシステム。
【発明の詳細な説明】
【技術分野】
【０００１】
本発明は、インターホン子機と無線呼出ボタンのペアリング機能を持つインターホンシステムに関する。
【背景技術】
【０００２】
ナースコールシステムでは、ベッド毎に看護師を呼び出すための無線呼出ボタンを具備したナースコール子機を備える事が可能な技術が知られている（例えば、特許文献１）。
【０００３】
特許文献１のナースコール子機は、呼出ボタンを無線化したことで、呼出ボタンの断線や破損を防ぐことができ、利便性を向上させることができる。しかし、呼出ボタンを無線化することにより、手軽に持ち運びが可能となるため、紛失しやすくなるという問題がある。さらに、無線呼出ボタンを発見したとしても、対応するインターホン子機の近傍ではなく全く異なる場所で発見された場合、どのインターホン子機とペアリングされているかわからないという問題がある。これは、ベッド数が多くなればなるほど問題となり、ペアリングされているインターホン子機を探す事は大変な作業となり、施設管理部門の大きな負担になっている。
【先行技術文献】
【特許文献】
【０００４】
【特許文献１】特開２００６−９５０３８号公報
【発明の概要】
【発明が解決しようとする課題】
【０００５】
そこで本発明の課題は、インターホン子機と無線呼出ボタンとがペアリングされた後、当該無線呼出ボタンを紛失した場合に、当該紛失した無線呼出ボタンの発見を容易とし、また紛失等によって従来のペアリング先インターホン子機を利用できない場合でも、無線呼出ボタンの発見や所在を通知・表示し、かつ発見されたまたは移動先のインターホン子機でも緊急通報・緊急通話を可能とすることにある。
【課題を解決するための手段】
【０００６】
上記課題を解決するために、本発明は、インターホン子機と、前記インターホン子機と無線によって接続される無線呼出ボタンと、前記インターホン子機からの呼び出しに応答するためのインターホン親機と、前記１乃至複数のインターホン子機と前記１乃至複数のインターホン親機を収容して、前記インターホン子機または前記無線呼出ボタンからの呼出要求を検知して、前記呼び出しを行ったインターホン子機または無線呼出ボタンに対応づけられた前記インターホン親機のいずれかまたは全てを呼び出す主装置から成るインターホンシステムであって、前記インターホン子機は、自インターホン子機近傍の前記無線呼出ボタンに対して当該無線呼出ボタンの端末ＩＤの読み出しを要求する端末ＩＤ読出要求信号を定期または不定期に送信し、当該無線呼出ボタンが前記端末ＩＤ読出要求信号に対して返信した端末ＩＤを受信する無線呼出ボタン接続監視手段と、予め自インターホン子機に所属する前記無線呼出ボタンの端末ＩＤを記憶する所属端末ＩＤ記憶手段と、前記無線呼出ボタン接続監視手段が受信した無線呼出ボタンの端末ＩＤが、前記所属端末ＩＤ記憶手段に記憶した端末ＩＤのいずれとも一致しなかった場合に、前記主装置に対して当該受信した端末ＩＤを含む所属外端末発見情報を送信する端末発見通知手段と、自インターホン子機の呼出ボタン押下または前記無線呼出ボタンからの緊急通報信号を検知し、前記主装置に対して親機呼出要求信号を送信する親機呼出要求手段と、を有し、前記無線呼出ボタンは、前記インターホン子機からの端末ＩＤ読出要求信号を受信して、自無線呼出ボタンに固有の端末ＩＤ情報を返信する端末ＩＤ返信手段と、自無線呼出ボタンの通報ボタン押下を検知して、無線通信によって近傍のインターホン子機に対して、自無線呼出ボタン固有の端末ＩＤを含むインターホン親機へ緊急通報を要求する緊急通報手段と、を有し、前記主装置は、前記インターホン子機からの親機呼出要求信号を受信する親機呼出検出手段と、前記インターホン子機の区分や所在に関する情報と前記インターホン子機の各々に所属する無線呼出ボタンの端末ＩＤと呼び出し先のインターホン親機とを対応付けて記憶して、無線呼出ボタンの端末ＩＤとインターホン子機の接続状態を管理する所属端末管理手段と、前記親機呼出検出手段がいずれかのインターホン子機から親機呼出要求信号を受信した場合に、前記所属端末管理手段を参照して所定のインターホン親機を呼び出す親機呼出実行手段と、を有し、前記所属端末管理手段は、いずれかのインターホン子機から前記所属外端末発見通知情報を受信した場合に、当該発見した端末ＩＤに対応するインターホン親機または当該発見した端末ＩＤに係わらず全てのインターホン親機に対して前記親機呼出実行手段を起動し、前記主装置およびまたはインターホン親機に対して、当該所属外端末発見通知情報を送信したインターホン子機の所在や当該発見した端末ＩＤに係る端末情報を表示することを特徴とする。
【発明の効果】
【０００７】
本発明によれば、ペアリング関係にないインターホン子機を用いて紛失した無線呼出ボタンを発見することが可能となる。また発見されたインターホン子機の所在を主装置やインターホン親機に表示することで、紛失した無線呼出ボタンの回収や所有者の所在確認が可能となる。またペアリング関係にない近傍のインターホン子機を利用して緊急通報や通話も可能となることで、施設管理部門の負担を大幅に減らすと共に、通報の確実性を向上させることができる。
【図面の簡単な説明】
【０００８】
【図１】本発明によるインターホンシステムのブロック構成図である。
【図２】無線呼出ボタンの動作フローである。
【図３】インターホン子機の子機制御部における無線呼出ボタンの検知フローである。
【図４】インターホン子機における特定の忘失無線呼出ボタンに対する制御フローである。
【図５】主装置の主装置・親機制御部におけるインターホン制御フローである。
【発明を実施するための形態】
【０００９】
以下、本発明の実施例について、図面を用いて説明する。
【００１０】
図１は、本発明によるインターホンシステムのブロック構成図である。
本発明によるインターホンシステムは、インターホン親機１と主装置２とインターホン子機３，３ａ，３ｂと無線呼出ボタン４−１，４−２，４−１ａ，４−２ａ，４−１ｂ，４−２ｂからそれぞれ接続されて構成されている。
【００１１】
尚、本実施例では、主装置２にインターホン親機１の機能（図１の点線部範囲）を内蔵した形で説明しているが、主装置２の外部に分離し、また複数のインターホン親機を接続して構成してもよい。また以降、インターホン子機３と無線接続される無線呼出ボタン４−１を例として説明する。
【００１２】
無線呼出ボタン４−１の端末ＩＤ記憶部４４には、当該端末固有の端末ＩＤ（例として４１０）が記憶されており、またこの値は、無線呼出ボタン４−１が所属する（無線接続される）インターホン子機３の所属ＩＤ記憶部３４に予め記憶されていて、インターホン子機３は、この所属ＩＤ記憶部３４または忘失ＩＤ受信記憶部３２２に記憶された端末ＩＤと一致する無線ＩＤを有する無線呼出ボタンからの緊急通報要求のみを受け付け、主装置２を介してインターホン親機１を呼び出すよう動作する。
【００１３】
インターホン親機１は、忘失したまたは発見した無線呼出ボタンの端末ＩＤや使用者情報などを表示する端末情報表示部１０と、呼び出しに対して応答を指示する応答ボタン１７と、主装置２を介してインターホン子機３と通話を行う送受話器１８とで構成されている。
【００１４】
尚、本実施例においては、インターホン親機１と主装置２および主装置２とインターホン子機３との間の通話路は、それぞれ接続が有効な場合に利用可能となるよう主装置２側で管理・制御されているものとして、各制御フローには図示しない。
【００１５】
主装置２は、インターホン子機３を有線または無線で接続し、各種情報を入出力する子機接続部２１と、インターホン子機３からの親機呼出要求信号を検知する親機呼出検知部２３と、自インターホンシステムに所属する無線呼出ボタン（端末ＩＤを含む）とインターホン子機（居室識別情報を含む）と呼び出し先のインターホン親機との対応関係を記憶し、また各機器の状態を管理する所属端末管理部２４と、前記インターホン親機１の呼び出すなどを制御指示する親機呼出実行部２５と、各部を制御する主装置・親機制御部２２と、主装置の各部およびインターホン親機１およびインターホン子機３に稼働電力を供給する電源部２９から構成されている。
【００１６】
インターホン子機３は、主装置２を有線または無線で接続し、各種情報を入出力する主装置接続部３１と、近傍の無線呼出ボタンの各々との間で接続確認を行うために、無線呼出ボタンに対して端末ＩＤ読出要求を送信し、また当該読出要求に対して無線呼出ボタンの各々から返信される端末ＩＤを受信する接続監視部３３と、予め自インターホン子機と対応する無線呼出ボタンの端末ＩＤを記憶しておく所属ＩＤ記憶部３４と、自インターホン子機が備える呼出ボタン３６または無線呼出ボタンからの端末ＩＤを含む緊急通報要求を検知する呼出検知部３５と、主装置２を介してインターホン親機１と通話を行う送受話器３８と、前記通話の復旧を指示する復旧ボタン３７と、インターホン子機３の各部を制御する子機制御部３２と、主装置接続部３１を介してインターホン子機３の稼働電力を受電し、各部に配電する電源部３９とで構成されている。
【００１７】
また、子機制御部３２はインターホン子機３と主装置２との間で、次の機能を制御する。
【００１８】
接続監視部３３で受信される端末ＩＤを監視し、自インターホン子機の所属ＩＤ記憶部３４に記憶されている端末ＩＤと一致する端末ＩＤが所定の期間検知できなかった場合、忘失ＩＤ通知部３２１に指示して当該検知できなかった端末ＩＤを含む端末忘失情報を主装置２に通知する。
【００１９】
また接続監視部３３で受信される端末ＩＤを監視し、自インターホン子機の所属ＩＤ記憶部３４に記憶されている端末ＩＤと一致しない端末ＩＤを検知した場合、発見ＩＤ通知部３２３に指示して当該検知した端末ＩＤを含む所属外端末発見情報を主装置２に通知する。
【００２０】
また忘失ＩＤ受信記憶部３２２によって主装置２から忘失無線呼出ボタンの捜索要求を受信した場合、当該捜索対象の端末ＩＤを一時記憶し、接続監視部３３で受信される端末ＩＤが当該記憶した端末ＩＤと一致するかを判定し、一致した端末ＩＤを検知した場合、発見ＩＤ通知部３２３に指示して当該検知した端末ＩＤを含む捜索端末発見情報を主装置２に通知する。
【００２１】
また呼出検知部３５によって、インターホン子機または無線呼出ボタンからの呼出・通報要求を検知した場合、親機呼出部３２４に指示して親機呼出要求を主装置２に通知する。
【００２２】
無線呼出ボタン４−１は、自無線呼出ボタンに固有の端末ＩＤを端末ＩＤ記憶部４４に記憶しており、端末ＩＤ返信部４３において、インターホン子機３から端末ＩＤ読出要求を受信すると、当該記憶している端末ＩＤをインターホン子機３に返信する。
【００２３】
また緊急通報部４５が通報ボタン４６の押下を検知した場合も、当該記憶している端末ＩＤを含む緊急通報要求をインターホン子機３に送信する。
【００２４】
また無線呼出ボタンが備える電源部４９は、一次電池や二次電池やインターホン子機３から受信した無線電力や通報ボタンに併設された発電機能や電気二重層コンデンサ等の蓄電機能のいずれかまたは組合せによって稼働電力を得て各部に与える。
【００２５】
図２は、無線呼出ボタンの動作フローである。
本フローは、無線呼出ボタンが備える電源部４９によって、稼働電力が供給された後に開始される（Ｓ２００）。
【００２６】
端末ＩＤ返送部４３は、インターホン子機３の接続監視部３３からの接続確認のための端末ＩＤ読出要求を受信すると（Ｓ２０１，Ｙ）、端末ＩＤ記憶部４４から自無線呼出ボタンに固有な端末ＩＤを読み出し、インターホン子機３に返信する（Ｓ２０２）。
【００２７】
次に、緊急通報部４５は、通報ボタン４６が押下されたことを検知すると（Ｓ２０３，Ｙ）、端末ＩＤ記憶部４４から自無線呼出ボタンに固有な端末ＩＤを読み出し、当該端末ＩＤを含む緊急通報要求をインターホン子機３に送信する（Ｓ２０４）。以後、稼働電力供給が為される間は、本フローが繰り返される。
【００２８】
図３は、インターホン子機の子機制御部における無線呼出ボタンの検知フローの一例である。
本フローは、インターホン子機の電源部３９によって、稼働電力が供給された後に開始される（Ｓ３００）。
【００２９】
先ず、インターホン子機３の子機制御部３２は、接続監視部３３に指示して近傍の無線呼出ボタンに対して、接続確認信号（端末ＩＤ読出要求）を送信する（Ｓ３０１）。
【００３０】
次に、無線呼出ボタンから前記接続確認に対する返信である端末ＩＤを検知すると（Ｓ３０２，Ｙ）、所属ＩＤ記憶部３４を検索して当該受信した端末ＩＤと一致しているか、すなわち自インターホン子機に所属しているか否かを検査し（Ｓ３０３）、自インターホン子機の所属していないと判断した場合（Ｓ３０３，Ｎ）、発見ＩＤ通知部３２３に指示して当該受信した端末ＩＤを含む所属外端末発見通知情報を主装置２に送信する（Ｓ３０４）。
【００３１】
次に、呼出検知部３５によって自インターホン子機が備える呼出ボタン３６が押下されたことを検知すると（Ｓ３０５，Ｙ）、ステップ３０７に進み、親機呼出部３２４に指示して親機呼出要求信号を主装置２に送信する（Ｓ３０７）。
【００３２】
また呼出ボタン押下でなく（Ｓ３０５，Ｎ）、呼出検知部３５が無線呼出ボタンからの緊急通報要求を受信した場合（Ｓ３０６，Ｙ）、親機呼出部３２４に指示して受信した端末ＩＤを含む親機呼出要求信号を主装置２に送信する（Ｓ３０７）。
【００３３】
このステップ３０６において、受信した端末ＩＤを検査しないことによって、忘失した無線呼出ボタン自身が所属しないインターホン子機からもインターホン親機を呼び出すことができる。
【００３４】
尚、設定等を設けて、インターホン子機毎に受信した端末ＩＤを検査するか否かを切り替え、不適切な場所に設置されたインターホン子機からの呼び出しを規制してもよい。
【００３５】
次に、呼出検知部３５によって自インターホン子機が備える復旧ボタン３７が押下されたことを検知すると（Ｓ３０８，Ｙ）、親機呼出部３２４に指示して通話復旧要求信号を主装置２に送信し（Ｓ３０９）、以降、ステップ３０１に戻る。
【００３６】
図４は、インターホン子機における特定の忘失無線呼出ボタンに対する制御フローである。
本フローは、インターホン子機の電源部３９によって、稼働電力が供給された後に開始される（Ｓ４００）。
【００３７】
先ず、インターホン子機３の忘失ＩＤ受信記憶部３２２によって、主装置２から忘失無線呼出ボタンの端末ＩＤを含む忘失端末捜索要求を受信すると（Ｓ４０１，Ｙ）、忘失ＩＤ受信記憶部３２２に当該受信した端末ＩＤを捜索照合用情報として記憶する（Ｓ４０２）。
【００３８】
また忘失ＩＤ受信記憶部３２２によって、主装置２から忘失無線呼出ボタンの端末ＩＤを含む忘失端末捜索解除を受信すると（Ｓ４０３，Ｙ）、忘失ＩＤ受信記憶部３２２に記憶した当該端末ＩＤを削除（Ｓ４０４）。
【００３９】
これにより、忘失ＩＤ受信記憶部３２２に端末ＩＤが記憶されている期間中に、忘失無線呼出ボタンの捜索が行われる。
【００４０】
次に、自インターホン子機に所属している無線呼出ボタンが忘失していないかを検査するための監視タイマを起動した後（Ｓ４１１）、接続監視部３３に指示して近傍の無線呼出ボタンに対して、接続確認信号（端末ＩＤ読出要求）を送信する（Ｓ４１２）。
【００４１】
次に、無線呼出ボタンから前記接続確認に対する返信である端末ＩＤを検知すると（Ｓ４２１，Ｙ）、所属ＩＤ記憶部３４に記憶されている自インターホン子機に所属している全ての端末ＩＤを受信できたか否かを判定し（Ｓ４２２）、全ての所属端末ＩＤを受信できた場合に（Ｓ４２２，Ｙ）、前記開始した監視タイマを停止し（Ｓ４２３）、ステップ４２６に進む。
【００４２】
次に、ステップ４１１で開始した監視タイマが満了しても全ての所属端末ＩＤを受信できなかった場合は（Ｓ４２２，Ｎ・Ｓ４２４，Ｙ）、受信できなかった端末ＩＤの無線呼出ボタンが忘失したと判断し、忘失ＩＤ通知部３２１に指示して当該未受信の端末ＩＤを端末忘失通知情報として主装置２に送信する（Ｓ４２５）。
【００４３】
次に、いずれかの端末ＩＤを捜索中であれば（Ｓ４２６，Ｙ）、ステップ４２７へ進み捜索を継続する。
【００４４】
次に、接続監視部３３で受信した端末ＩＤが、忘失捜索対象の端末ＩＤと一致した場合（Ｓ４２７，Ｙ）、忘失中の無線呼出ボタンを発見したと判断し、発見ＩＤ通知部３２３に指示して当該受信した端末ＩＤを端末発見通知情報として主装置２に送信する（Ｓ４２８）。
【００４５】
次に、呼出検知部３５によって自インターホン子機が備える呼出ボタン３６が押下されたことを検知すると（Ｓ４３１，Ｙ）、ステップ４３３に進み、親機呼出部３２４に指示して親機呼出要求信号を主装置２に送信する（Ｓ４３３）。
【００４６】
また呼出ボタン押下でなく（Ｓ４３１，Ｎ）、呼出検知部３５が無線呼出ボタンからの緊急通報要求を受信し、かつ受信した端末ＩＤが自インターホン子機の所属ＩＤ記憶部３４または忘失ＩＤ受信記憶部３２２に記憶された端末ＩＤと一致していたならば（Ｓ４３２，Ｙ）、親機呼出部３２４に指示して受信した端末ＩＤを含む親機呼出要求信号を主装置２に送信する（Ｓ４３３）。
【００４７】
このステップ４３２において、忘失ＩＤ受信記憶部に記憶した端末ＩＤを検査することによって、忘失した無線呼出ボタン自身が所属しないインターホン子機からもインターホン親機を呼び出すことができる。
【００４８】
尚、設定等を設けて、インターホン子機毎に忘失ＩＤ受信記憶部３２２に記憶した端末ＩＤを検査するか否かを切り替え、不適切な場所に設置されたインターホン子機からの呼び出しを規制してもよい。
【００４９】
次に、呼出検知部３５によって自インターホン子機が備える復旧ボタン３７が押下されたことを検知すると（Ｓ４３４，Ｙ）、親機呼出部３２４に指示して通話復旧要求信号を主装置２に送信し（Ｓ４３５）、以降、ステップ４０１に戻る。
【００５０】
図５は、主装置の主装置・親機制御部におけるインターホン制御フローである。
本フローは、主装置の電源部２９によって、稼働電力が供給された後に開始される（Ｓ５００）。
【００５１】
主装置２の子機接続部２１と所属端末管理部２４を介して、インターホン子機３から端末ＩＤを含む端末忘失通知情報を受信すると（Ｓ５０１，Ｙ）、当該受信した端末ＩＤを忘失端末捜索要求信号として所定のインターホン子機に送信し（Ｓ５０２）、また所属端末管理部２４に記憶された当該忘失した無線呼出ボタンに関する情報（端末ＩＤやユーザ名など）を、インターホン親機１または主装置２の端末情報表示部１０に捜索対象端末として表示する（Ｓ５０３）。
【００５２】
次に、子機接続部２１と所属端末管理部２４を介して、インターホン子機３から端末ＩＤを含む端末発見通知情報を受信すると（Ｓ５０４，Ｙ）、当該受信した端末ＩＤを忘失端末捜索解除信号として所定のインターホン子機に送信し（Ｓ５０５）、また所属端末管理部２４に記憶された当該忘失した無線呼出ボタンに関する情報（端末ＩＤやユーザ名や呼び出し先インターホン親機など）を抽出し、親機呼出実行部２５に指示して対応するインターホン親機を呼び出し、または端末情報表示部１０に発見・捜索解除端末として表示する（Ｓ５０６）。
【００５３】
またステップ５０４において、端末発見通知情報を受信する代わりに（Ｓ５０４，Ｎ）、子機接続部２１と親機呼出検知部２３を介してインターホン子機３からの親機呼出要求信号を受信した場合にも（Ｓ５０７，Ｙ）、所属端末管理部２４に記憶された当該忘失した無線呼出ボタンに関する情報（端末ＩＤやユーザ名や呼び出し先インターホン親機など）を抽出し、親機呼出実行部２５に指示して対応するインターホン親機を呼び出し、または端末情報表示部１０に発見・捜索解除端末として表示する（Ｓ５０８）。
【００５４】
次に、親機呼出実行部２５によって呼び出し先インターホン親機からの親機応答（応答ボタン１７が押下されたこと）を検知した場合（Ｓ５１１，Ｙ）、主装置２の親機呼出実行部２５と子機接続部２１に指示して、前記応答したインターホン親機と前記呼び出したインターホン子機との通話接続を有効とする（Ｓ５１２）。
【００５５】
また子機接続部２１と親機呼出検知部２３を介して通話復旧求信号を受信した場合（Ｓ５１５，Ｙ）、主装置２の親機呼出実行部２５と子機接続部２１に指示して、前記応答したインターホン親機と前記呼び出したインターホン子機との通話接続を無効とし、また前記ステップ５０６またはステップ５０８で表示した情報表示をクリアして（Ｓ５１６）、ステップ５０１に戻る。
【００５６】
尚、図５の各処理は、同時期に複数のインターホン子機や無線呼出ボタンに対して実施することができる。
【符号の説明】
【００５７】
１：インターホン親機
１０：端末情報表示部
１７：応答ボタン
１８：送受話器
２：主装置
２１：子機接続部
２２：主装置・親機制御部
２３：親機呼出検知部
２４：所属端末管理部
２５：親機呼出実行部
２９：電源部
３，３ａ，３ｂ：インターホン子機
３１：主装置接続部
３２：子機制御部
３２１：忘失ＩＤ通知部
３２２：忘失ＩＤ受信記憶部
３２３：発見ＩＤ通知部
３２４：親機呼出部
３３：接続監視部
３４：所属ＩＤ記憶部
３５：呼出検知部
３６：呼出ボタン
３７：復旧ボタン
３８：送受話器
３９：電源部
４−１，４−２，４−１ａ，４−２ａ，４−１ｂ，４−２ｂ：無線呼出ボタン
４３：端末ＩＤ返送部
４４：端末ＩＤ記憶部
４５：緊急通報部
４６：通報ボタン
４９：電源部
【図１】
0006642064.tif 000002
【図２】
0006642064.tif 000003
【図３】
0006642064.tif 000004
【図４】
0006642064.tif 000005
【図５】
0006642064.tif 000006